(57)【要約】 【課題】  看護者が特に夜間に容易に乳幼児の状態（特に体温の状態）を把握できる乳幼児健康管理／監視装置の提供。【解決手段】  乳幼児健康管理／監視装置であって、体温測定部、電源電池、所定時分ごとに体温を測定・記憶する記憶部を有するＩＣタグと、測定された体温情報を読取るＩＣタグ読み取り部、表示部、体温測定部による測定値を記憶する記憶部とを備えた本体部からなり、体温測定部で測定された体温が所定の閾値以上の時、本体部で、バイブレーション，メロディー，光のうち少なくともいずれかによるアラームを発生することを特徴とする。【選択図】  図１
2008194323.tif 000002
【特許請求の範囲】
【請求項１】
乳幼児健康管理／監視装置であって、体温測定部、電源電池、所定時分ごとに体温を測定・記憶する記憶部を有するＩＣタグと、
測定された体温情報を読取るＩＣタグ読み取り部、表示部とを備えた本体部からなり、
前記体温測定部で測定された体温が所定の閾値以上の時、前記本体部で、バイブレーション，メロディー，光のうち少なくともいずれかによるアラームを発生することを特徴とする乳幼児健康管理／監視装置。
【請求項２】
乳幼児健康管理／監視装置であって、体温測定部、電源電池、所定時分ごとに体温を測定・記憶する記憶部を有するＩＣタグと、
測定された体温情報を読取るＩＣタグ読み取り部、表示部、前記体温測定部による測定値を記憶する記憶部とを備えた本体部からなり、
前記体温測定部で測定された体温が所定の閾値以上の時、前記本体部で、バイブレーション，メロディー，光のうち少なくともいずれかによるアラームを発生することを特徴とする乳幼児健康管理／監視装置。
【請求項３】
乳幼児健康管理／監視装置であって、体温測定部、記憶部を有するＩＣタグと、
測定された体温情報を読取るＩＣタグ読み取り部、表示部、前記体温測定部による測定値を記憶する記憶部とを備えた本体部からなり、
前記体温測定部で測定された体温が所定の閾値以上の時、前記本体部で、バイブレーション，メロディー，光のうち少なくともいずれかによるアラームを発生することを特徴とする乳幼児健康管理／監視装置。
【請求項４】
身長，体重等の生体情報，予防接種情報，投薬情報等も入力可能としたことを特徴とする請求項１請求項１〜３のいずれかに記載の乳幼児健康管理／監視装置。
【請求項５】
前記本体は、腕時計機能または携帯電話機能を備えたものである請求項１請求項１〜３のいずれかに記載の乳幼児健康管理／監視装置。
【請求項６】
前記バイブレーション，メロディー，光の動作のモードを選択できるようにしたことを特徴とする請求項１請求項１〜３のいずれかに記載の乳幼児健康管理／監視装置。
【発明の詳細な説明】
【技術分野】
【０００１】
本発明は、乳幼児健康管理／監視装置に関し、特に、所定時間の体温トレンドを記憶しておき、測定部と本体部が分離され、体温データが閾値を外れるとアラームを発生させる乳幼児健康管理／監視装置に関する。
【背景技術】
【０００２】
生体情報を計測し、乳幼児の状態を推定し、乳幼児の異変に対して適切な対応がとれるようにする監視システムが提案されている（特許文献１：特開２００４−１８１２１８号公報）。しかしながら、風邪，インフルエンザ，ＲＳ（Respiratory Syncytial）ウイルス等の感染症等によるに急な体温変化が健常時とどのように異なるか判断するようなものではない。これを改善するシステムとして、生体信号の緊急度を判断し、アラームを発生させるシステムが提案されている（特許文献３:特許３６６１６８６号公報）。しかしながら体温については大きな閾値４０℃、３４℃を設定し、それと比較するだけであり、トレンド変化によりアラームを発生させるものではない。また、体温測定終了時に、筐体を介して外部に音声、ブザーの動作音、または体感可能な振動を発生することができる振動アクチュエータを有する電子体温計も提案されている（特許文献３：特開平１１-３０４５９７号公報）。しかしながら、体温計本体が振動するため、特に夜間においては乳幼児が驚くなどの問題がある。また、電源電池を備え、測定した体温値を無線送信する貼着型の電子体温計も提案されている（特許文献４：特開昭６３−１３３０２８号公報）。
【特許文献１】特開２００４−１８１２１８号公報
【特許文献２】特許３６６１６８６号公報
【特許文献３】特開平１１-３０４５９７号公報
【特許文献４】特開昭６３−１３３０２８号公報
【発明の開示】
【発明が解決しようとする課題】
【０００３】
本発明の目的は、上記問題点に鑑みてなされたもので、風邪，インフルエンザ，ＲＳ（Respiratory Syncytial）ウイルス等の感染症等による発熱があっても、母親などの看護者が特に夜間に容易に乳幼児の状態（特に体温の状態）を把握できる乳幼児健康管理／監視装置を提供することにある。
【課題を解決するための手段】
【０００４】
上記課題を解決するために、本発明の乳幼児健康管理／監視装置は、乳幼児健康管理／監視装置であって、乳幼児健康管理／監視装置であって、体温測定部、電源電池、所定時分ごとに体温を測定・記憶する記憶部を有するＩＣタグと、測定された体温情報を読取るＩＣタグ読み取り部、表示部とを備えた本体部からなり、体温測定部で測定された体温が所定の閾値以上の時、前記本体部で、バイブレーション，メロディー（音，ブザー等を含む），光のうち少なくともいずれかによるアラームを発生することを特徴とする。また、本発明の乳幼児健康管理／監視装置は、乳幼児健康管理／監視装置であって、体温測定部、電源電池、所定時分ごとに体温を測定・記憶する記憶部を有するＩＣタグと、測定された体温情報を読取るＩＣタグ読み取り部、表示部、体温測定部による測定値を記憶する記憶部とを備えた本体部からなり、体温測定部で測定された体温が所定の閾値以上の時、本体部で、バイブレーション，メロディー（音,ブザー等も含む），光のうち少なくともいずれかによるアラームを発生することを特徴とする。本発明の乳幼児健康管理／監視装置は、また、乳幼児健康管理／監視装置であって、乳幼児健康管理／監視装置であって、体温測定部、記憶部を有するＩＣタグと、測定された体温情報を読取るＩＣタグ読み取り部、表示部、体温測定部による測定値を記憶する記憶部とを備えた本体部からなり、体温測定部で測定された体温が所定の閾値以上の時、本体部で、バイブレーション，メロディー（音，ブザー等を含む），光のうち少なくともいずれかによるアラームを発生することを特徴とする。また、脈拍，血中酸素飽和度（ＳＰ０２）等を入力可能で、所定の範囲の値を外れるとアラームを発生することを特徴とする。身長，体重等の生体情報，予防接種情報，投薬情報等も入力可能としたことを特徴とする。本体は、腕時計機能または携帯電話機能を備えたものである。バイブレーション，メロディー（音，ブザー等を含む），光の動作の発生の有無を選択できるようにしたことを特徴とする。
【発明の効果】
【０００５】
本発明によれば、風邪，インフルエンザ，ＲＳ（Respiratory Syncytial）ウイルス，はしか等の感染症等による急な発熱時の夜間の看病において、母親等の看護者が添い寝をすることで、看護者も睡眠を取ることができ、乳幼児に対しても負担感なく体温の状態を容易に監視できる。また、解熱剤などの投与効果も容易に把握できる。
【発明を実施するための最良の形態】
【０００６】
図１は、本発明の一実施例を示し、乳幼児Ｐ及び携帯装置による乳幼児健康管理／監視装置を示している。図２は、温度測定部１を示すもので、（ａ）はその概略断面図、（ｂ），（ｃ）は、その一部を構成し感温部を有するＩＣタグ（ＲＦＩＤ）及び感温部を有する電池内蔵ＩＣタグのブロック図である。図２（ａ）は、貼付型の温度測定部１の概略断面図で、１２０は粘着性のある貼付部、１２１は発泡ウレタン等で形成され、感温部を有するＩＣタグ（ＲＦＩＤ）及び感温部を有する電池内蔵ＩＣタグを囲包する断熱材である。本願発明は、実施例に限られるものでなく適宜変更が可能である。また、携帯装置５０から専用ＬＡＮ，電話回線，インターネット等の情報通信ネットワーク（不図示）を介して、病院，主治医等のサイトと双方向の情報通信可能としてもよい。
【０００７】
＜システムの具体的構成＞
被検者である乳幼児Ｐは、ベッド上にオムツ（パンツ）３００をはいて横臥，仰臥等の状態でいる。乳幼児Ｐに対して、図１に示す温度測定部１を貼付部１２０により身体の適所（例えば、ワキ下）に貼付けたり、外耳道内に挿入したり、面ファスナー等を備える囲包部材で囲包し、オムツ３００に脱自在に装着したり、リストバンドに設けたりして乳幼児Ｐの体温測定を行なう。
【０００８】
オムツ３００は、伸縮部材を備えた胴開口部３０１、伸縮部材を備えた脚開口部３０２、吸収部材（不図示）からなり、オムツ３００に温度測定部１を装着する場合、その内側の吸収部材から離れた位置の適所に備える。オムツ３００は、パンツ状に限らず、他の形状でもよい。また、オムツ３００を布製にし、リユース可能にしてオムツカバーを用い、尿などで濡れない内側の適所に設けてもよい。
【０００９】
携帯電話のような携帯装置５０には、表示部１１、バイブレーション，メロディー，発光等を報知手段駆動制御部１９で制御し、発光部１９、振動部（バイブレーター）１９ｂ，メロディ発生部（音発生部）１９ｃを駆動させて看護者に報知するようにしている。また、携帯装置５０には、無線によるＩＣタグ読取り部１３、入力部１４、体温等をトレンド記憶する記憶部１５、処理フロー等を記憶し、コンピュータで読取り可能なプログラムを記憶しているＲＡＭ１６，ＲＯＭ１７，ｉ−モードによるインターネット等の情報通信ネットワーク（不図示）を介して通信を行なう外部通信部１２も備えている。また、電源部１１としては、通常、充電式アルカリ電池が好ましく用いられる。さらにＡＣアダプタを設け、ＡＣアダプタ使用時は優先的にＡＣ電源から電源供給を受けるようにすれば、特に夜間において、体温の読取り間隔を５〜１０分程度に短くでき、より細かい乳幼児の監視が可能となる。２０は、時計部であり、電波時計を備えることで時刻調整の煩わしさが低減できる。
【００１０】
また、予防接種（インフルエンザ，おたふくかぜ，ポリオ，百日咳，風疹，麻疹，結核等の予防接種）の情報，過去の投薬データ（アレルギー反応を回避した投薬を行なうために必要）も、機能キー１４ａ、入力部１４で入力し、記憶、表示できるようになっている。また、機能キー１４ａで入力項目を適宜選択して、体温，体重（投薬量の決定に必要），血圧，脈拍，血糖値等を入力し、記憶、表示できるようになっている。こうすることで、母子健康手帳としての機能を果たす。また、パルスオキシメータを接続端子１２ａに接続し、測定された血中酸素飽和度（ＳＰＯ２），脈拍を記憶、表示したり、測定中の測定中のリアルタイムの値を表示できるようになっている。
【００１１】
また、機能キー１４ａは、バイブレーション，メロディー（音，ブザー），発光のうち、どのような報知を行なうかを選択するためのモード選択キーとしての機能も備える。またこれらのうち任意に組合せて報知するように設定したり、報知しないように設定（音量調整，発光調整）することもできる。
【００１２】
＜ＩＣタグの構成＞
図２（ｂ）において、１００は、外部からの通信信号を受けて作動するように構成された温度センサ付ＩＣタグ（ＲＦＩＤ）である。１０１は、ＩＣタグ読み取り部１３からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、体温のトレンド情報も記憶可能である。なお、ロジック部１１０は、より複雑な処理フローの制御が可能なＣＰＵとしてもよい。
【００１３】
温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、乳幼児Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。なお、Ａ／Ｄ変換部はＣＰＵ１１０の中で機能させてもよい。ＩＣタグ１００は、アンテナ１０３ａを含めて幅Ｗが５ｍｍ×５ｍｍ、厚さＴが１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。また、間違った乳幼児Ｐの情報を取得しないようにアンチ・コリージョンタイプとしたり、アンテナ１０３ａから出力される信号を暗号化処理可能にしてセキュリティ機能を持たせることができる。
【００１４】
体温情報もＥＥＰＲＯＭ１０２に記憶できるので、別のベッドや別の部屋に乳幼児Ｐを移し換えても継続して体温情報を記憶できる。また、アンテナ１０３ａから出力される信号を暗号化処理可能にしてセキュリティ機能を持たせることができる。
【００１５】
図２（ｃ）において、２００は、電池内蔵で、設定された時間（分）間隔で体温（温度）情報を最大３６０日記憶できるように構成された温度センサ付ＩＣタグ（ＲＦＩＤ）である。この温度センサ付ＩＣタグ２００を図２（ａ）のように形成して、乳幼児Ｐのワキ下等体温測定の適所またはオムツ３００の適所に設けるなど（図１参照）して健常時の所定時間、例えば２４時間の体温を測定・記憶する。２０１は、ＩＣタグ読み取り部３４からの信号を受け、ロジック部２１０を所定のフローで動作させるプログラムが記憶され、コンピュータで読取り可能な記憶媒体であるＲＡＭである。２０２はＥＥＰＲＯＭで、温度センサ２０６のそれぞれに対応するオフセット値，温度補正値などが記憶されている。また、体温情報も記憶可能である。なお、ロジック部２１０は、より複雑な処理フローの制御が可能なＣＰＵとしてもよい。
【００１６】
温度センサ２０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。２０３は、乳幼児Ｐに設けられた温度測定部を有するＩＣタグ２００の体温情報を携帯装置５０からの読取り要求信号により、記憶された体温情報を乳幼児ＰのＩＤ情報とともに携帯装置５０に送信するための送受信回路である。ここでは、通信は、電気的な接続で行なわれるが、無線アンテナによる無線で送受信してもよい。２０４ａは内蔵電池であり、この内蔵電池２０４ａで温度センサ付ＩＣタグ２００の全てのプログラム演算処理の電源となっている。２０７はＡ／Ｄ変換部であり、温度センサ２０６と発振回路（不図示）で発生した体温信号をＡ／Ｄ変換するものである。ＩＣタグ２００は、幅Ｗが５ｍｍ×５ｍｍ、厚さＴが１．５ｍｍ程度の大きさである。なお、通信を無線で行なう場合、ＩＣタグ２００は、生体を通過可能な周波数の電磁波での通信（送受信）可能なものであれば、どのような周波数でもよいが、好ましくは１３．５６ＭＨｚの電磁波で送信可能になっている。
【００１７】
体温情報も乳幼児ＰのＩＤ情報と併せてＥＥＰＲＯＭ２０２に記憶できるので、家庭内などで別のベッドや別の部屋に乳幼児Ｐを移し換えても継続して体温情報を記憶できる。
【００１８】
＜電池内蔵ＩＣタグによる体温情報取得＞
乳幼児Ｐに対して母親等の看護者は、まず、ＩＣタグ２００を備えた温度測定部１を乳幼児Ｐに対して体温測定の適所、例えばワキ下等や着脱自在にオムツ３００に装着したり（図１参照）、リストバンドに設けたりしてＩＣタグ２００が接触するように身体の適所に装着したり貼付けたりする。所定期間、例えば、春季，夏季，秋季，冬季の任意に選択した１ケ月分、１週間分、１日（２４時間）分測定・記憶し、ＥＥＰＲＯＭ２０２に時刻とともに体温情報が記憶される。記憶された体温情報は、外部送信部２０３から信号線または無線で外部通信部１２を経て携帯装置５０の記憶部１５に、年月日時とともにトレンド記憶される。なお、本発明の乳幼児健康管理／監視装置にあっては、平常時の体温のトレンドを記憶する必要がない場合、必ずしもＩＣタグ２００を備える必要はない。
【００１９】
＜使用方法＞
乳幼児Ｐに温度測定部を有するＩＣタグ（ＲＦＩＤ）１００を含む温度測定部１を、上述したように、乳幼児Ｐに対して、適所に装着したり、リストバンドに設けたりしてＩＣタグ１００の温度センサ１０６が接触するように身体の体温測定の適所、例えばワキ下に装着（貼着）する。
【００２０】
携帯装置５０の電源スイッチ１４ｃをＯＮし、アラーム（報知手段）のモードを選択・設定する。この選択・設定は、機能キー１４ａで行うようにしている。アラーム発生部１９０を駆動させるアラーム（報知手段）のモードは、バイブレーション，メロディー（音，ブザー等も含む），光のすべてでアラーム発生（報知）させるモード、バイブレーション，メロディーの２つでアラーム発生（報知）させるモード、メロディー，光の２つでアラーム発生（報知）させるモード、バイブレーション，光の２つでアラーム発生（報知）させるモード、バイブレーションのみでアラーム発生（報知）させるモード、メロディーのみでアラーム発生（報知）させるモード、光のみでアラーム発生（報知）させるモードがあり、これらのすべてのモードを備えていても、任意の組合せで備えていてもよく、これらのモードから選択する。また、アラーム発生（報知）させている時分（秒）も１０〜６０秒で任意に設定可能としている。また、アラーム発生（報知）させるための測定された体温の閾値（℃）は、ディフォルト値として３８.０℃としているが、この設定は、入力部１４で、好ましくは０．１℃間隔で行えるようにしている。
【００２１】
入力部１４などで測定開始時刻設定（時間設定）指示入力等を行ない、同じふとん，ベッドで添い寝する看護者（母親等）の枕元やふとん，ベッドの中において携帯装置５０を置くことにより、体温測定を開始する。体温情報は、入力部１４で予め設定入力された時間条件、例えば温度測定部を有するＩＣタグ（ＲＦＩＤ）１００を含む測温部を乳幼児Ｐに装着して測定開始指示入力を行なった時点または所定の温度上昇が確認できた時点等を基点として、例えば５分後にＩＣタグ１００に対してＩＣタグ読取り部１３から所定の周波数、例えば１３．５６ＭＨｚの電磁波を所定間隔、例えば１０分毎（５〜２０分の測定間隔の設定も可能）に送信（この場合、送受信距離は、３ｃｍ〜１０ｃｍ程度）し、その信号と同期して得られる温度センサ１０６の体温情報を読取る。測定されたこれらの体温情報は、必要に応じて記憶部１５にトレンド記憶される（トレンド記憶をしないように入力部１４で設定可能）。この体温情報は設定されたアラーム発生の閾値（℃）と比較される。この閾値は、例えば、３８．０℃としている。この閾値は、前述した所定期間の体温トレンド情報（平熱（℃））に基づいたりして看護者（母親等）が入力部１４で任意に設定入力し、また変更可能になっている。
【００２２】
測定された体温情報が異常（測定中の異常も含む）と判断されると、バイブレーション
メロディー（音，ブザーを含む），光などで報知する。この時、表示部１１のＬＥＤ等を同時に発光させると、アラーム発生時の体温が夜間等の暗闇でも読取り、確認できる。入力部１４でリセットすることにより、体温測定を続けるが、電源スイッチ１４ｃを押して体温測定を終了することができる。
【００２３】
図３は、他の実施例で上述の実施例と異なる点は、アラーム発生部１９０を本体とは別に設け、信号線を介した有線，無線でアラーム発生部１９０を駆動させる点である。この場合、看護者（母親等）は同じふとん，ベッドで添い寝する必要がなく、別のふとん，ベッドで添い寝し、そのふとん，ベッドにアラーム発生部１９０を置いて寝ることができる。
【図面の簡単な説明】
【００２４】
【図１】本発明の実施例を示す図である。
【図２】本発明の実施例に係るブロック図である。
【図３】本発明の他の実施例を示すブロック図である。
【符号の説明】
【００２５】
１０  ＣＰＵ、１  温度測定部、１０  ＣＰＵ、１１  表示部、１３  ＩＣタグ読取り部、１４  入力部、１４ａ  機能キー、１００，２００  ＩＣタグ、１０６  温度センサ、１９０  アラーム発生部
【図１】
2008194323.tif 000003
【図２】
2008194323.tif 000004
【図３】
2008194323.tif 000005
【手続補正書】
【提出日】平成19年2月15日(2007.2.15)
【手続補正１】
【補正対象書類名】明細書
【補正対象項目名】００１３
【補正方法】変更
【補正の内容】
【００１３】
体温測定部を構成する温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、乳幼児Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。なお、Ａ／Ｄ変換部はＣＰＵ１１０の中で機能させてもよい。ＩＣタグ１００は、アンテナ１０３ａを含めて幅Ｗが５ｍｍ×５ｍｍ、厚さＴが１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。また、間違った乳幼児Ｐの情報を取得しないようにアンチ・コリージョンタイプとしたり、アンテナ１０３ａから出力される信号を暗号化処理可能にしてセキュリティ機能を持たせることができる。
【手続補正２】
【補正対象書類名】明細書
【補正対象項目名】００１６
【補正方法】変更
【補正の内容】
【００１６】
体温測定部を構成する温度センサ２０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。２０３は、乳幼児Ｐに設けられた温度測定部を有するＩＣタグ２００の体温情報を携帯装置５０からの読取り要求信号により、記憶された体温情報を乳幼児ＰのＩＤ情報とともに携帯装置５０に送信するための送受信回路である。ここでは、通信は、電気的な接続で行なわれるが、無線アンテナによる無線で送受信してもよい。２０４ａは内蔵電池であり、この内蔵電池２０４ａで温度センサ付ＩＣタグ２００の全てのプログラム演算処理の電源となっている。２０７はＡ／Ｄ変換部であり、温度センサ２０６と発振回路（不図示）で発生した体温信号をＡ／Ｄ変換するものである。ＩＣタグ２００は、幅Ｗが５ｍｍ×５ｍｍ、厚さＴが１．５ｍｍ程度の大きさである。なお、通信を無線で行なう場合、ＩＣタグ２００は、生体を通過可能な周波数の電磁波での通信（送受信）可能なものであれば、どのような周波数でもよいが、好ましくは１３．５６ＭＨｚの電磁波で送信可能になっている。る。